【手続補正書】
【提出日】平成24年8月23日(2012.8.23)
【手続補正１】
【補正対象書類名】明細書
【補正対象項目名】０００８
【補正方法】変更
【補正の内容】
【０００８】
上記目的を達成するため、本発明の第１の観点にかかる情報表示システムは、
撮像手段を備え、外部から提供された情報を前記撮像手段によって撮像された撮像画像上に重畳表示する情報表示装置と、
前記情報表示装置による撮像画像上に重畳させる情報を前記情報表示装置に提供する情報提供装置と、から構成された、拡張現実感（ＡＲ）による情報表示（ＡＲ表示）をおこなう情報表示システムにおいて、
前記情報提供装置は、
前記撮像画像における被写体と照合するための照合画像と、当該照合画像と照合された被写体が写った前記撮像画像に重畳表示させる重畳情報とを含んだＡＲデータを、当該ＡＲデータを識別するための識別情報と、前記情報表示装置から通知されうるキー情報とに対応づけて記憶するＡＲデータ記憶手段と、
前記情報表示装置からキー情報が提供された場合には、当該キー情報に対応する識別情報を該情報表示装置に送信し、前記情報表示装置から識別情報が提供された場合には、当該識別情報に対応するＡＲデータを該情報表示装置に送信する情報提供手段と、を備え、
前記情報表示装置は、
前記撮像画像における被写体を特定するためのキー情報を取得するキー情報取得手段と、
前記キー情報を前記情報提供装置に通知するキー情報通知手段と、
前記キー情報の通知に応じて前記情報提供装置から提供される識別情報を取得する識別情報取得手段と、
第１のテーブルに、前記キー情報と前記識別情報を対応づけて複数記録するキー情報記録手段と、
前記第１のテーブルに記録されているいずれかの識別情報を前記情報提供装置に通知する識別情報通知手段と、
前記識別情報の通知に応じて前記情報提供装置から提供される、前記ＡＲ表示に用いられるＡＲデータを取得するＡＲデータ取得手段と、
前記ＡＲデータ取得手段が取得したＡＲデータを用いて前記ＡＲ表示をおこなうＡＲ表示手段と、を備える、
ことを特徴とする。
上記情報表示システムにおいて、
レコード数が規定されている第２のテーブルに、取得したＡＲデータを、前記第１のテーブルと対応づけて記録するＡＲデータ記録手段を、更に備え、
前記ＡＲ表示手段は、前記ＡＲデータ記録手段が記録したＡＲデータを用いて前記ＡＲ表示をおこなうことが望ましい。
【手続補正２】
【補正対象書類名】明細書
【補正対象項目名】０００９
【補正方法】変更
【補正の内容】
【０００９】
上記目的を達成するため、本発明の第２の観点にかかる情報表示装置は、
撮像手段と、外部装置との通信をおこなう通信手段と、前記撮像手段による撮像画像に前記外部装置から提供された情報を重畳表示させる表示手段と、を備えた拡張現実感（ＡＲ）による情報表示（ＡＲ表示）をおこなう情報表示装置であって、
前記外部装置が前記情報表示装置に提供する情報を特定するために用いるキー情報を取得するキー情報取得手段と、
前記キー情報取得手段が取得したキー情報を、通信ネットワークを介して前記外部装置に通知するキー情報通知手段と、
前記キー情報通知手段によるキー情報の通知に応じて前記外部装置が送信した、前記撮像手段で撮像された被写体における被写体と照合される照合画像と、当該照合画像と照合された被写体が写った前記撮影画像上に重畳表示させる重畳情報とを含んだＡＲデータを示す識別情報を、前記通信ネットワークを介して取得する識別情報取得手段と、
前記キー情報取得手段が取得したキー情報を、当該キー情報の利用日時と、前記識別情報取得手段が取得した識別情報とに対応づけて、レコード数が規定されている第１のテーブルに記録するキー情報記録手段と、
前記第１のテーブルに記録されている識別情報を、前記通信ネットワークを介して前記外部装置に通知する識別情報通知手段と、
前記識別情報通知手段による識別情報の通知に応じて前記外部装置が送信した前記ＡＲデータを取得するＡＲデータ取得手段と、
前記ＡＲデータ取得手段が取得したＡＲデータを、前記通知した識別情報と、当該ＡＲデータの利用日時とに対応づけて、レコード数が規定されている第２のテーブルに記録するＡＲデータ記録手段と、
前記第２のテーブルに記録されているＡＲデータを用いてＡＲ表示をおこなうＡＲ表示手段と、を備え、
前記識別情報通知手段は、前記第１のテーブルに記録されている識別情報が前記第２のテーブルに記録されていない場合、当該識別情報を前記外部装置に通知し、
前記キー情報記録手段は、前記キー情報取得手段がキー情報を取得した際に前記第１のテーブルに空きレコードがない場合、既に記録されているキー情報の利用日時に基づいた削除をおこない、
前記ＡＲデータ記録手段は、前記識別情報通知手段が識別情報を通知する際に前記第２のテーブルに空きレコードがない場合、既に記録されているＡＲデータの利用日時に基づいた削除をおこなう、
ことを特徴とする。
【手続補正３】
【補正対象書類名】明細書
【補正対象項目名】００１３
【補正方法】変更
【補正の内容】
【００１３】
上記目的を達成するため、本発明の第３の観点にかかるプログラムは、
撮像手段と、外部装置との通信をおこなう通信手段と、前記撮像手段による撮像画像に前記外部装置から提供された情報を重畳表示させる表示手段と、を備えた拡張現実感（ＡＲ）による情報表示（ＡＲ表示）をおこなう情報表示装置を制御するコンピュータに、
前記外部装置が前記情報表示装置に提供する情報を特定するために用いるキー情報を取得する機能と、
取得したキー情報を、通信ネットワークを介して前記外部装置に通知する機能と、
キー情報の通知に応じて前記外部装置が送信した、前記撮像手段で撮像された被写体における被写体と照合される照合画像と、当該照合画像と照合された被写体が写った前記撮影画像上に重畳表示させる重畳情報とを含んだＡＲデータを示す識別情報を、前記通信ネットワークを介して取得する機能と、
前記取得したキー情報を、当該キー情報の利用日時と、前記取得した識別情報とに対応づけて、レコード数が規定されている第１のテーブルに記録する機能と、
前記外部装置から取得した識別情報とＡＲデータとを対応づけて記録する第２のテーブルに、前記第１のテーブルに記録されている識別情報が記録されていない場合に、当該識別情報を、前記通信ネットワークを介して前記外部装置に通知する機能と、
前記識別情報の通知に応じて前記外部装置が送信した前記ＡＲデータを取得する機能と、
取得したＡＲデータを、前記通知した識別情報と、当該ＡＲデータの利用日時とに対応づけて、レコード数が規定されている前記第２のテーブルに記録する機能と、
前記第２のテーブルに記録されているＡＲデータを用いてＡＲ表示をおこなう機能と、
キー情報を取得した際に前記第１のテーブルに空きレコードがない場合、既に記録されているキー情報の利用日時に基づいた削除をおこなう機能と、
前記外部装置に識別情報を通知する際に前記第２のテーブルに空きレコードがない場合、既に記録されているＡＲデータの利用日時に基づいた削除をおこなう機能と、
を実現させることを特徴とする。
【手続補正４】
【補正対象書類名】特許請求の範囲
【補正対象項目名】全文
【補正方法】変更
【補正の内容】
【特許請求の範囲】
【請求項１】
撮像手段を備え、外部から提供された情報を前記撮像手段によって撮像された撮像画像上に重畳表示する情報表示装置と、
前記情報表示装置による撮像画像上に重畳させる情報を前記情報表示装置に提供する情報提供装置と、から構成された、拡張現実感（ＡＲ）による情報表示（ＡＲ表示）をおこなう情報表示システムにおいて、
前記情報提供装置は、
前記撮像画像における被写体と照合するための照合画像と、当該照合画像と照合された被写体が写った前記撮像画像に重畳表示させる重畳情報とを含んだＡＲデータを、当該ＡＲデータを識別するための識別情報と、前記情報表示装置から通知されうるキー情報とに対応づけて記憶するＡＲデータ記憶手段と、
前記情報表示装置からキー情報が提供された場合には、当該キー情報に対応する識別情報を該情報表示装置に送信し、前記情報表示装置から識別情報が提供された場合には、当該識別情報に対応するＡＲデータを該情報表示装置に送信する情報提供手段と、を備え、
前記情報表示装置は、
前記撮像画像における被写体を特定するためのキー情報を取得するキー情報取得手段と、
前記キー情報を前記情報提供装置に通知するキー情報通知手段と、
前記キー情報の通知に応じて前記情報提供装置から提供される識別情報を取得する識別情報取得手段と、
第１のテーブルに、前記キー情報と前記識別情報を対応づけて複数記録するキー情報記録手段と、
前記第１のテーブルに記録されているいずれかの識別情報を前記情報提供装置に通知する識別情報通知手段と、
前記識別情報の通知に応じて前記情報提供装置から提供される、前記ＡＲ表示に用いられるＡＲデータを取得するＡＲデータ取得手段と、
前記ＡＲデータ取得手段が取得したＡＲデータを用いて前記ＡＲ表示をおこなうＡＲ表示手段と、を備える、
ことを特徴とする情報表示システム。
【請求項２】
レコード数が規定されている第２のテーブルに、取得したＡＲデータを、前記第１のテーブルと対応づけて記録するＡＲデータ記録手段を、更に備え、
前記ＡＲ表示手段は、前記ＡＲデータ記録手段が記録したＡＲデータを用いて前記ＡＲ表示をおこなう、
ことを特徴とする請求項１に記載の情報表示システム。
【請求項３】
撮像手段と、外部装置との通信をおこなう通信手段と、前記撮像手段による撮像画像に前記外部装置から提供された情報を重畳表示させる表示手段と、を備えた拡張現実感（ＡＲ）による情報表示（ＡＲ表示）をおこなう情報表示装置であって、
前記外部装置が前記情報表示装置に提供する情報を特定するために用いるキー情報を取得するキー情報取得手段と、
前記キー情報取得手段が取得したキー情報を、通信ネットワークを介して前記外部装置に通知するキー情報通知手段と、
前記キー情報通知手段によるキー情報の通知に応じて前記外部装置が送信した、前記撮像手段で撮像された被写体における被写体と照合される照合画像と、当該照合画像と照合された被写体が写った前記撮影画像上に重畳表示させる重畳情報とを含んだＡＲデータを示す識別情報を、前記通信ネットワークを介して取得する識別情報取得手段と、
前記キー情報取得手段が取得したキー情報を、当該キー情報の利用日時と、前記識別情報取得手段が取得した識別情報とに対応づけて、レコード数が規定されている第１のテーブルに記録するキー情報記録手段と、
前記第１のテーブルに記録されている識別情報を、前記通信ネットワークを介して前記外部装置に通知する識別情報通知手段と、
前記識別情報通知手段による識別情報の通知に応じて前記外部装置が送信した前記ＡＲデータを取得するＡＲデータ取得手段と、
前記ＡＲデータ取得手段が取得したＡＲデータを、前記通知した識別情報と、当該ＡＲデータの利用日時とに対応づけて、レコード数が規定されている第２のテーブルに記録するＡＲデータ記録手段と、
前記第２のテーブルに記録されているＡＲデータを用いてＡＲ表示をおこなうＡＲ表示手段と、を備え、
前記識別情報通知手段は、前記第１のテーブルに記録されている識別情報が前記第２のテーブルに記録されていない場合、当該識別情報を前記外部装置に通知し、
前記キー情報記録手段は、前記キー情報取得手段がキー情報を取得した際に前記第１のテーブルに空きレコードがない場合、既に記録されているキー情報の利用日時に基づいた削除をおこない、
前記ＡＲデータ記録手段は、前記識別情報通知手段が識別情報を通知する際に前記第２のテーブルに空きレコードがない場合、既に記録されているＡＲデータの利用日時に基づいた削除をおこなう、
ことを特徴とする情報表示装置。
【請求項４】
前記キー情報記録手段は、当該キー情報を取得した日時を利用日時として記録し、該キー情報に対応する前記ＡＲデータを用いたＡＲ表示がおこなわれた際の日時で更新し、
前記ＡＲデータ記録手段は、当該ＡＲデータを取得した日時を利用日時として記録し、該ＡＲデータを用いたＡＲ表示がおこなわれた際の日時で更新し、
前記キー情報記録手段および前記ＡＲデータ記録手段は、最も古い日時が利用日時として記録されているレコードを削除対象として特定する、
ことを特徴とする請求項３に記載の情報表示装置。
【請求項５】
前記キー情報は、前記撮像手段による撮像時の前記情報表示装置の位置を示す位置情報を含み、
前記キー情報記録手段は、削除対象として特定したレコードに記録されているキー情報が位置情報である場合、当該位置情報が示す位置と前記情報表示装置の現在位置との距離を算出し、算出した距離が所定の閾値よりも小さい場合、当該レコードを削除対象から除外する、
ことを特徴とする請求項４に記載の情報表示装置。
【請求項６】
前記ＡＲデータ記録手段は、削除対象として特定したレコードに記録されている識別情報が前記第１のテーブルに記録されており、かつ、該第１のテーブルにおいて当該識別情報を記録しているレコードが前記キー情報記録手段によって削除対象から除外されている場合、前記特定したレコードを削除対象から除外する、
ことを特徴とする請求項５に記載の情報表示装置。
【請求項７】
撮像手段と、外部装置との通信をおこなう通信手段と、前記撮像手段による撮像画像に前記外部装置から提供された情報を重畳表示させる表示手段と、を備えた拡張現実感（ＡＲ）による情報表示（ＡＲ表示）をおこなう情報表示装置を制御するコンピュータに、
前記外部装置が前記情報表示装置に提供する情報を特定するために用いるキー情報を取得する機能と、
取得したキー情報を、通信ネットワークを介して前記外部装置に通知する機能と、
キー情報の通知に応じて前記外部装置が送信した、前記撮像手段で撮像された被写体における被写体と照合される照合画像と、当該照合画像と照合された被写体が写った前記撮影画像上に重畳表示させる重畳情報とを含んだＡＲデータを示す識別情報を、前記通信ネットワークを介して取得する機能と、
前記取得したキー情報を、当該キー情報の利用日時と、前記取得した識別情報とに対応づけて、レコード数が規定されている第１のテーブルに記録する機能と、
前記外部装置から取得した識別情報とＡＲデータとを対応づけて記録する第２のテーブルに、前記第１のテーブルに記録されている識別情報が記録されていない場合に、当該識別情報を、前記通信ネットワークを介して前記外部装置に通知する機能と、
前記識別情報の通知に応じて前記外部装置が送信した前記ＡＲデータを取得する機能と、
取得したＡＲデータを、前記通知した識別情報と、当該ＡＲデータの利用日時とに対応づけて、レコード数が規定されている前記第２のテーブルに記録する機能と、
前記第２のテーブルに記録されているＡＲデータを用いてＡＲ表示をおこなう機能と、
キー情報を取得した際に前記第１のテーブルに空きレコードがない場合、既に記録されているキー情報の利用日時に基づいた削除をおこなう機能と、
前記外部装置に識別情報を通知する際に前記第２のテーブルに空きレコードがない場合、既に記録されているＡＲデータの利用日時に基づいた削除をおこなう機能と、
を実現させることを特徴とするプログラム。